(57)【要約】【課題】大型化を回避しつつ、情報記録媒体を容易に着脱可能にし、装着された情報記録体が外部より見える形態電話装置を提供する。また、大型化を回避して２つの情報記録体を収納できる携帯電話装置を提供する。【解決手段】携帯電話装置に、加入者識別情報が記録されたＵＩＭカード１２を着脱可能に収納するＵＩＭカードコネクタ５５ｂ及びこれを収容する筐体１ａと、電源を供給する電池６１が着脱自在に装着される電池装着部２ａと、ＵＩＭカードコネクタ５５ｂに収納されたＵＩＭカード１２及び電池６１を覆う電池カバー部６１ａとを具備した。そして、電池装着部２ａは、ＵＩＭカード１２がＵＩＭカードコネクタ５５ｂに着脱される着脱方向側に設けるとともに、電池カバー部６１ａにはＵＩＭカード１２との重畳位置に透明窓６１ｄを備えた。【選択図】　図３
2004032527.tif 000002
【特許請求の範囲】
【請求項１】
加入者識別情報が記録された情報記録体を着脱可能に収納する情報記録体収納部と、この情報記録体収納部を収容する筐体と、この筐体側に設けられ電力を供給する電池が着脱自在に装着される電池装着部と、前記情報記録体収納部に収納された前記情報記録体と前記電池とを覆うカバーとを具備した携帯電話装置であって、
電池装着部を、前記情報記録体が前記情報記録体収納部に着脱される着脱方向側に設けるとともに、
前記カバーには、前記情報記録体と重畳する位置に透明部を備えたことを特徴とする携帯電話装置。
【請求項２】
加入者識別情報が記録された情報記録体を着脱可能に収納する情報記録体収納部と、音声情報や非音声情報を記録する第２情報記録体を収納する第２情報記録体収納部と、前記情報記録体収納部と前記第２情報記録体収納部とを収納する筐体と、この筐体に設けられ電力を供給する電池が着脱可能に装着される電池装着部と、前記情報記録体収納部に収納された前記情報記録体と前記電池とを覆うカバーとを具備した携帯電話装置であって、
前記電池装着部を、前記情報記録体収納部と前記第２情報記録体収納部の間であって、前記情報記録体が前記情報記録体収納部に着脱される着脱方向側に設けるとともに、
前記カバーには、前記情報記録体と重畳する位置に透明部を備えたことを特徴とする携帯電話装置。
【請求項３】
前記筐体は、
第１の筐体及び第２の筐体と、
前記第１の筐体及び前記第２の筐体を折り畳み可能に連結するヒンジ部と
を具備したことを特徴とする請求項１又は２に記載の携帯電話装置。
【請求項４】
前記筐体は、略直方体状に形成されているとともに、
前記情報記録体収納部は、前記情報記録体の長手方向が前記筐体の長手方向に直交する方向と一致するように配設され、
前記第２情報記録体収納部は、前記第２情報記録体の長手方向が前記筐体の長手方向と一致するように配設された
ことを特徴とする請求項２又は３に記載の携帯電話装置。
【請求項５】
前記筐体は、前記第２情報記録体を前記第２情報記録体収納部に収納するための開口部及びこの開口部を開閉可能に開閉する開閉蓋とを有し、
前記開閉蓋が前記第２情報記録体の収納方向と直交する方向に移動した後に、前記開閉蓋が前記筐体に対して回動することによって前記開口部が開放されるように構成したことを特徴とする請求項２乃至４のいずれか１項に記載の携帯電話装置。
【請求項６】
前記情報記録体が露出される面とは逆方向に、前記情報記録体収納部と、情報の入出力を行うための入出力部とを重複して配設したことを特徴とする請求項１乃至５のいずれか１項に記載の携帯電話装置。
【発明の詳細な説明】
【０００１】
【発明の属する技術分野】
本発明は、加入者識別情報が記録された情報記録媒体が装着可能な携帯電話装置に関するものである。
【０００２】
【従来の技術】
近年、第３世代携帯電話Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式に対応した装置の開発や商品化が始まっている。このＷ−ＣＤＭＡ方式に対応した携帯電話機やＰＣカード端末装置には、移動通信サービスの加入者に関する情報（加入者の電話番号、ＩＤ、及び料金情報等）が記録されたＳＩＭ（ｓｕｂｓｃｒｉｂｅｒ　Ｉｄｅｎｔｉｆｙ　Ｍｏｄｕｌｅ）カードやＵＩＭ（Ｕｓｅｒ　Ｉｄｅｎｔｉｆｙ　Ｍｏｄｕｌｅ）カード等の加入者識別用情報カード（ＩＣカード）が装着できるようになっている。
【０００３】
このＩＣカードは、例えば音声送信やＴＶ電話として使用する場合には、携帯電話装置に装着し、また、ＰＣを使ってデータの無線通信を行う場合には、ＰＣカード端末装置に装着して使用するなど、用途に応じて装着させる装置を適宜選択することができるようになっている。そして、このＩＣカードに記録されている情報を用いることで、常に同一の電話番号で各種装置の利用が可能になっている。
【０００４】
ところで、この加入者識別用情報カードが装着可能な従来の携帯電話機として、特開平１０−３３６２９２号公報に開示されている携帯電話機がある。
図９は、従来の携帯電話機の背面図である。同図に示したように、携帯電話機１００は、凹状のバッテリ装着部１０３を有し、このバッテリ装着部１０３は、底面１０４とこの底面１０４に対して垂直に隆起した垂直壁１０５とから構成される。
【０００５】
垂直壁１０５の下端側には、底面１０４に対して凸となっている開口１０６が形成されており、この開口１０６には、図示外の加入者識別用情報カードが装着されるカードホルダが挿入される。
【０００６】
また、開口１０６には、中央にあるカードホルダの前面パネル部１０７の両側に指先入れ凹部１０８ａ及び１０８ｂが形成されており、携帯電話機１００の使用者が、指先入れ凹部１０８ａに親指１０９ａを入れ、指先入れ凹部１０８ｂに人差し指１０９Ｂを入れて、前面パネル部１０７を挟んで引出すことで、加入者識別用情報カードが引出せるようになっている。
【０００７】
【発明が解決しようとする課題】
しかしながら、上記した従来の携帯電話機は、バッテリ装着部１０３にバッテリを装着した状態では加入者識別用情報カードが装着されているか否か、外観から直接目で見て判断することができなかった。
【０００８】
このため、加入者識別用情報カードを装着して使用する携帯電話機とＰＣカード端末装置の双方を所有する人にとっては、加入者識別用情報カードの差替えが頻繁であるため、電池を外して加入者識別用情報カードの有無を確認する動作は、非常に面倒であった。また、時には、加入者識別用情報カードが装着されているであろうと思って携帯電話機を携帯して出かけ、それが間違い（装着されていない）であると外出先で気付く場合もあり、使いたくても使えずに外出先で非常に困ったり、不便を感じる場合もある。
【０００９】
また、近年では、音声情報、画像情報、及び文章情報などを記録可能なＭＭＣ（Ｍｕｌｔｉ　Ｍｅｄｉａ　Ｃａｒｄ：登録商標）やＳＤ（Ｓｕｐｅｒ　Ｄｅｎｓｉｔｙ：登録商標）カード等の情報記録用カードが装着できるデジタルビデオカメラやノートパソコン等が商品化されており、加入者識別用情報カードが装着される第三世代携帯電話機においては、今後、これらの情報記録用カードも装着できる構造のものの開発が要望されている。
【００１０】
本発明は、上記問題点に鑑みてなされたものであって、大型化を回避しつつ、情報記録媒体を容易に着脱可能にし、装着された情報記録体が外部から見える携帯電話装置を提供することを目的とするものである。
また、本発明は、大型化を回避して２つの情報記録体を収納できる携帯電話装置を提供することを目的とする。
【００１１】
【課題を解決するための手段】
本発明の携帯電話装置は、加入者識別情報が記録された情報記録体を着脱可能に収納する情報記録体収納部と、この情報記録体収納部を収容する筐体と、この筐体側に設けられ電力を供給する電池が着脱自在に装着される電池装着部と、前記情報記録体収納部に収納された前記情報記録体と前記電池とを覆うカバーとを具備した携帯電話装置であって、
電池装着部を、前記情報記録体が前記情報記録体収納部に着脱される着脱方向側に設けるとともに、
前記カバーには、前記情報記録体と重畳する位置に透明部を備えたことを特徴としている。
【００１２】
本発明によれば、情報記録体の片面が露出する状態で情報記録体収納部を配設することで、情報記録体の片面を指で触って抜き差しできる。このため、情報記録体を容易に着脱することができる。しかも、このような情報記録体収納部をカバー部材で覆ったとき、透明部から情報記録体の有無が確認できる。
【００１３】
また、本発明の携帯電話装置は、加入者識別情報が記録された情報記録体を着脱可能に収納する情報記録体収納部と、音声情報や非音声情報を記録する第２情報記録体を収納する第２情報記録体収納部と、前記情報記録体収納部と前記第２情報記録体収納部とを収納する筐体と、この筐体に設けられ電力を供給する電池が着脱可能に装着される電池装着部と、前記情報記録体収納部に収納された前記情報記録体と前記電池とを覆うカバーとを具備した携帯電話装置であって、
前記電池装着部を、前記情報記録体収納部と前記第２情報記録体収納部の間であって、前記情報記録体が前記情報記録体収納部に着脱される着脱方向側に設けるとともに、
前記カバーには、前記情報記録体と重畳する位置に透明部を備えたことを特徴としている。
【００１４】
本発明によれば、筺体の長手方向に、情報記録体収納部と第２情報記録体収納部とバッテリとを並べて配置することで、筺体に２種類の情報記録体が収納可能となる。このため、２種類の情報記録体を収納可能な携帯電話装置の大型化を回避できる。しかも、このとき、情報記録体収納部をカバー部材で覆っても、透明部から情報記録体の有無が確認できる。
【００１５】
さらに、本発明の携帯電話装置は、前記筐体が、第１の筐体及び第２の筐体と、前記第１の筐体及び前記第２の筐体を折り畳み可能に連結するヒンジ部とを具備したことを特徴としている。
【００１６】
本発明によれば、２つの筺体を折り畳み可能な携帯電話装置において、一方の筺体にバッテリ収容部と第２情報記録体収容部を設けることができるため、２種類の情報記録体を１つの筺体に収納可能となる。
【００１７】
さらに、本発明の携帯電話装置は、前記筐体が、略直方体状に形成されているとともに、
前記情報記録体収納部は、前記情報記録体の長手方向が前記筐体の長手方向に直交する方向と一致するように配設され、
前記第２情報記録体収納部は、前記第２情報記録体の長手方向が前記筐体の長手方向と一致するように配設されたことを特徴としている。
【００１８】
本発明によれば、情報記録体の長手方向が筺体の長手方向に直行する方向に一致するように情報記録体収納部を配設したので、筺体の長手方向を長くする必要がない。また、第２情報記録体の長手方向が筺体の長手方向に一致するように第２情報記録体収納部を配設したので、筺体の長手方向に直交する方向を長くする必要がない。したがって、情報記録体及び第２情報記録体を収納可能な筺体の大型化を回避することができる。
【００１９】
さらに、本発明の携帯電話装置は、前記筐体が、前記第２情報記録体を前記第２情報記録体収納部に収納するための開口部及びこの開口部を開閉可能に開閉する開閉蓋とを有し、
前記開閉蓋が前記第２情報記録体の収納方向と直交する方向に移動した後に、前記開閉蓋が前記筐体に対して回動することによって前記開口部が開放されるように構成したことを特徴としている。
【００２０】
本発明によれば、開閉蓋が、第２情報記録体の収納方向と直交する方向に移動した後に、筺体に対して開閉可能に回動する構成にしたことで、筺体に衝撃が加わり、第２情報記録体が開閉蓋に衝突した場合でも、開閉蓋が開くことがない。したがって、第２情報記録体が外部に放出されることを防ぐことができる。
【００２１】
さらに、本発明の携帯電話装置は、前記情報記録体が露出される面とは逆方向に、前記情報記録体収納部と、情報の入出力を行うための入出力部とを重複して配設したことを特徴としている。
【００２２】
本発明によれば、情報記録収納部と入出力部とを重畳することで、情報記録収納部と入出力部を設けるためのスペースを減らすことができ、携帯電話装置の大型化を回避できる。また、情報記録体収納部に力が加わった場合でも、入出力部に対する影響を少なくすることができる。
【００２３】
【発明の実施の形態】
以下、この発明に係る実施の形態について、添付図面を参照しながら詳細に説明する。なお、本実施の形態では、携帯情報端末やＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎｓ）、ＣＤＭＡ（Ｃｏｄｅ　Ｄｉｖｉｓｉｏｎ　Ｍｕｌｔｉｐｌｅ　Ａｃｃｅｓｓ）、Ｗ−ＣＤＭＡ（Ｗｉｄｅｂａｎｄ　ＣＤＭＡ）方式の携帯電話装置として、携帯電話機を例にあげて説明する。
【００２４】
図１（ａ）は、本発明の実施の形態に係る携帯電話機の閉じた状態を示す斜視図である。図１（ｂ）は、本発明の実施の形態に係る携帯電話機を開いた状態を示す斜視図である。図１（ｃ）は、図１（ｂ）の平面側から見た斜視図である。図２は、本発明の実施形態に係る携帯電話機の平面図である。図３は、図２の横断面図である。図４は、本発明の実施形態に係る携帯電話機に収容される収容部材の斜視図である。図５（ａ）は、本発明の実施形態に係る開閉部に用いる開閉カバーの裏面側斜視図、同図（ｂ）は開閉部の要部における組付け状態を示す要部斜視図である。図６は、本発明の実施形態に係る携帯電話機の電気的構成を示すブロック図である。図７は、本発明の実施形態に係る携帯電話機の下筐体の分解斜視図である。
【００２５】
以下、本発明の実施の形態では、加入者識別用情報カードとして略直方体のＵＩＭ（Ｕｓｅｒ　Ｉｄｅｎｔｉｆｉｃａｔｉｏｎ　Ｍｏｄｕｌｅ）カード１２を用い、情報記録用カードとして略直方体のＳＤ（Ｓｅｃｕｒｅ　Ｄｉｇｉｔａｌ）カード１３を用いた構成として説明する。
この実施の形態に係る携帯電話機１は、図１及び図２に示すように、筐体１Ａが、大略、下筐体２と上筐体３とで構成されており、この下筐体２と上筐体３とはヒンジ部４によって回動可能に連結されている。そして、通常、この携帯電話機１は、携帯時には、下筐体２が上筐体３と隣接して対向するように閉じられた状態（折り畳まれた状態）で用いられる。
【００２６】
（Ｉ）筐体１ａについて：
この筐体１ａには、図２に示すように、外部よりＩ／Ｏプラグ１１、情報記録体であるＵＩＭカード１２（図３参照）、第２情報記録体であるＳＤカード１３を装着させることができるように構成されている。
【００２７】
Ｉ／Ｏプラグ（無線信号や音声又は画像信号系の接点プラグ）１１は、図２に示すように、外部装置からデータを入出力させるためのプラグであり、筐体１ａ外部より、後述するＩ／Ｏコネクタ（インターフェイス用コネクタ）５５ａに対して着脱自在に装着させるようになっている。
【００２８】
ＵＩＭカード１２は、筐体１ａ外部より、後述するＵＩＭコネクタ５５ｂに装着させるようになっているとともに、ＳＤカード１３は、筐体１ａ外部より、後述するＳＤカードコネクタ５５ｃに装着させるようになっている。
【００２９】
（ＩＩ）下筐体２について：
下筐体２には、図３及び図６に示すように、操作部２１及び送話部（マイクロフォン）２２の他に、送受信部５１、データ交換部５２、音声処理部５３、情報記録部５４、入出力部であるＩ／Ｏコネクタ５５ａ、情報記録体収納部であるＵＩＭカードコネクタ５５ｂ、第２情報記録体収納部であるＳＤカードコネクタ５５ｃ、プリント基板５６ａ及び５６ｂ、制御部５７、着脱可能な電池６１、ホール素子６３などを備えている。
【００３０】
操作部２１は、文字、記号、数字、及び操作信号等を入力したりするほか、後述するカメラ部６２を操作できるようになっている。
【００３１】
送受信部５１は、図６に示すように、アンテナ３１に接続されている。また、この送受信部５１は、アンテナ３１を使用して受信した通信データを処理してデータ変換部５２に伝達するようになっており、このデータ変換部５２が受信した通信データは、音声データに変換し、音声処理部５３に伝達させるようになっている。データ変換部５２には、音声処理部５３が接続されているとともに、この音声処理部５３は受話部３２と送話部２２とに接続されている。
【００３２】
この音声処理部５３では、音声データを復元化し送話信号を生成後、受話部３２に伝達させる。この受話部３２は、音声処理部５３からの受信信号に応答して音声を出力する。また、音声処理部５３は、送話部２２が受けた音声を符号化し、音声データを生成してデータ変換部５２へ出力する。データ変換部５２が受信した音声データは、通信データへ変換された後、送受信部５１へ出力される。送受信部５１は、通信データを処理し、アンテナ３１を使用して、無線信号として送信する。
【００３３】
情報記録部５４には、電話番号情報、音声情報、非音声情報、及び画像情報等が記録できるようになっている。
【００３４】
Ｉ／Ｏコネクタ５５ａは、略箱状を有しているとともに、ＵＭＩカードコネクタ５５ｂと重畳するように配置されており、プリント基板５６ａの端面近傍に表面実装されている。このＩ／Ｏコネクタ５５ａの信号端子２３ａは、接続ランド２３ｂ近傍で、かつ、プリント基板５６ａの端面側に形成された接続ランド２３ｂに半田接続されている。
【００３５】
一方、ＵＭＩカードコネクタ５５ｂは、図７に示すように、下筐体２に電池６１が装着されたとき、電池カバー部６１ａによって覆われるようになっており、透明窓（透明部）６１ｄを通して外部から透視できるようになっている。
【００３６】
このＵＭＩカードコネクタ５５ｂは、図７において、電池装着部２ａの底面に対して電池６１の装着方向に隆起した段部２ｄの角部にまたがった外観面近傍に、装着されるＵＭＩカード１２の長手方向が下筐体２の長手方向と直交する方向と一致するように配設されている。
【００３７】
また、このＵＭＩカードコネクタ５５ｂには、図４に示すように、ＵＭＩカード１２（図７参照）を収容するホルダ１２ａ及び接点端子１２ｂを備えている。このＵＭＩカード１２に内蔵されたＩＣには、電話番号、ユーザＩＤ、及び通話料金等の情報が記録されている。このＵＭＩカード１２のサイズは、横１２ｍｍ、縦２５ｍｍ、厚さ０．７６ｍｍとなっている。
【００３８】
なお、ホルダ１２ａは、図４に示すように、逆Ｌ字の形状を呈しており、ＵＭＩカード１２が収容される収容部１２ｃと、挿入されたＵＭＩカード１２が収容部１２ｃから離接されるのを防止するカバー部１２ｄとを備えている。なお、このＵＭＩカード１２は、電池装着部２ａ側から収容部１２ｃとカバー部１２ｄとの間に差込まれて装着されている。
【００３９】
また、この図４に示すＵＭＩカードコネクタ５５ｂの接点端子１２ｂは、Ｖｃｃ、Ｖｄｄ、ＧＮＤ、ＲＳＴ、ＣＬＫ、及びＩ／Ｏ用に６個のものを備えている。これらの接点端子１２ｂの一端は、装着されたＵＭＩカード１２（図７参照）の接点部（図示せず）に当接し、他端は下筐体２内部に内蔵されたプリント基板５６ａ上の接続ランド５６ｅに当接して、ＵＭＩカード１２とプリント基板５６ａとを電気的に接続するようになっている。
【００４０】
ＳＤカードコネクタ５５ｃの後述する開口部１３ｃ（図４参照）は、図３及び図４に示す開閉部２ｆで覆われるようになっており、この開閉部２ｆは下筐体２に対して開閉可能になっている。
【００４１】
プリント基板５６ａには、図３に示すように、送受信部５１、データ変換部５２（図６参照）、音声処理部５３（図６参照）、操作部２１、及び情報記録部５４が実装されているとともに、Ｉ／Ｏコネクタ５５ａが実装されている。一方、プリント基板５６ｂには、ＳＤカードコネクタ５５ｃが実装されている。
【００４２】
制御部５７は、送受信部５１、データ変換部５２、バイブレータ部５８、操作部２１、情報記録部５４、受話部３２、送話部２２、カメラ部６２、ホール素子６３、表示部３３及び３４、Ｉ／Ｏコネクタ５５ａ、ＵＩＭカードコネクタ５５ｂ、及びＳＤカードコネクタ５５ｃと接続されており、これらを適宜制御するようになっている。また、この制御部５７は、電池６１に接続されており、この電池６１から給電されるようになっている。
【００４３】
電池６１は、図３及び図７に示すように、電池カバー部６１ａと、この電池カバー部６１ａの内部に収容された２次電池部６１ｂと、正極、負極の電極端子と充電専用にサーミスタ端子の合計３種類の電池側端子部６１ｃとからなり、下筐体２の電池装着部２ａ（図７参照）に着脱可能に設けられた電池パック方式で構成されている。なお、電池６１が筐体１ａに着脱可能に装着される構成については、本発明の要旨から逸脱するので省略する。
【００４４】
また、この電池６１では、充電する場合、ＡＣアダプタ（図示せず）を介して図２に示すＩ／Ｏプラグ１１をＩ／Ｏコネクタ５５ａに装着すると、充電が開始されるように構成されている。また、この電池６１では、下筐体２から電池６１を外し、専用の充電台（図示せず）に装着して、その電池６１のみを充電することもできるようになっている。なお、この電池６１は、下筐体２に２次電池部６１ｂを装着した後に、電池カバー部６１ａを装着する内蔵電池方式としてもよい。前述の電池パック方式及び内蔵電池方式は、携帯電話機１の通話時間、待受け時間や配置位置、装着質量等の商品仕様によって適宜選択される。
【００４５】
電池カバー部６１ａの端部には、ポリカーボネイトやアクリルなどの透明樹脂材料で形成された透明窓６１ｄを有している。なお、その他の部位は、デザイン性を向上させるため、筐体と同色の塗装が施されている。この透明窓６１ｄは、電池カバー部６１ａと一体に成形してもよいし、専用の部品として形成してもよい。本実施の形態では、専用部品として成形し、電池カバー部６１ａに貫通孔を設け、この貫通孔に粘着テープで粘着・固定してある。
【００４６】
なお、前述した電池装着部２ａは、図７に示すように、電池６１を装着させるために、下筐体２に対して凹状に形成されている。この電池装着部２ａには、電池の正極、負極、サーミスタ端子と当接する本体側端子２ｂ（図４参照）が突出している。また、この本体側端子部２ｂの構造は、本願出願に係る発明者が出願した特開２００２−７５３０９号公報に記載のものと同じ構成のものであり、詳細については、これを参照されたい。
【００４７】
また、この電池装着部２ａには、図７に示すように、その底面に対して電池６１の装着方向に隆起した部分、即ち段部２ｄ及び２ｅが形成されている。なお、電池６１が下筐体２に装着されたときに、電池装着部２ａと段部２ｄ及び段部２ｅとが電池カバー部６１ａで同時に覆われるようになっている。
【００４８】
この電池装着部２ａに電池６１が装着されると、電池側端子部６１ｃと本体側端子部２ｂとが当接し、電池６１から電池側端子部６１ｃと本体側端子部２ｂとを介して制御部５７に電力が供給される。
【００４９】
ホール素子６３は、下筐体２と上筐体３が閉じられた時に上筐体３の内面と対向する下筐体２の内面位置に設けられている。このホール素子６３は、上筐体の存在を検出すると所定の検出信号を出力するようになっており、これと接続された制御部５７では、その検出信号の有無により、下筐体２及び上筐体３の開閉状態を検出・認識することができるように構成されている。
【００５０】
（ＩＩＩ）上筐体３について：
一方、上筐体３には、図６において、アンテナ３１、受話部（レシーバ）３２、（第１の）表示部３３、及び（第２の）表示部３４の他に、バイブレータ部５８、カメラ部６２、永久磁石６４が設けられている。
【００５１】
表示部３３及び表示部３４は、液晶表示部で構成されており、文字、記号、数字、及び画像等を表示する。このうち、表示部３３は、上筐体３を開いた場合に露呈する上筐体３の内面に設けられている。一方、表示部３４は、上筐体３において表示部３３が設けられる面とは反対面側である外面に設けられている。
【００５２】
バイブレータ部５８は、起振して振動で着信を報知するためのものである。
【００５３】
カメラ部６２は、上筐体３の表示部３３が設けられている方の（内）面に設けられており、表示部３３の前方側を撮影するように配置されている。
【００５４】
永久磁石６４は、上筐体３の表示部３３が設けられている方の（内）面に設けられている。下筐体２及び上筐体３が閉じられた時には、この永久磁石６４がホール素子６３に近接するので、ホール素子６３が永久磁石６４の発生する磁界を検出して検出信号を制御部５７に出力するようになっている。
【００５５】
一方、下筐体２と上筐体３が開かれたとき（図２及び図３参照）には、永久磁石６４がホール素子６３から離隔されるため、ホール素子６３は、永久磁石６４を検出することができず、検出信号は生成されない。
【００５６】
ここで、組立工場における検査方法について説明する。
一般に、プリント基板に表面実装された電子部品が正常に半田付けされたかどうかは、専用ロボットによってフィレットの有無を検査することで判断している。この検査を容易に行う行為と、検査結果が不合格の場合に半田こてによる修理を容易（半田こてが入るスペースの確保）にする為、接続ランド２３ｂと接続ランド２３ｂとの間には、所定以上の部品間隔が求められる。
【００５７】
本実施形態では、半田接続される端子数が多く、かつ、高背な部品を近接配置（接続ランド２３ｂと接続ランド２３ｂとの間を狭くする）して携帯電話機の小型化を図る為に、一方の部品の端子（Ｉ／Ｏコネクタ５５ａの信号端子２３ａ）は自動実装し、他方の部品の端子（ＵＭＩコネクタ５５ｂの接点端子１２ｂ）をばね接点としている。
【００５８】
これにより、一方の部品はロボットによる自動検査を行い、検査結果が不合格のときには、修理する為の半田こてが入るスペースを十分に確保している。検査結果が合格であれば、他方の部品をプリント基板に載置するだけで、両者を電気的に接続できるようにしてある。なお、他方の部品は、下筐体２に予め組付け、下筐体２にプリント基板５６ａを収容することで、接点端子１２ｂと接続ランド２３ｂとを電気的に接続しても構わない。
【００５９】
次に、ＳＤカードコネクタ５５ｃ及び開閉部２ｆについて、図４及び図７を参照しながら詳述する。
ＳＤカードコネクタ５５ｃには、ハウジング１３ａ及び端子１３ｂを備えている。ＳＤカード１３に内蔵されたＩＣには、画像や音声情報が記録できるようになっている。なお、このＳＤカード１３のサイズは、横２４ｍｍ、縦３２ｍｍ、厚さ２．１ｍｍとなっている。
【００６０】
ハウジング１３ａは、ＳＤカード１３が挿入される開口部１３ｃと、この開口部１３ｃを通過して挿入されるＳＤカード１３を収容する収納部１３ｄとを備えている。
【００６１】
端子１３ｂは、カード検出、コマンド、グランド、電源、及びデータＩ／Ｏ用に９個のものを備えている。また、この端子１３ｂの一端は、装着されたＳＤカード１３の接点部（図２の１３ａ）に当接し、他端は下筐体２内に内蔵されたプリント基板５６ｂに半田接続されるようになっている。なお、ＳＤカードコネクタ５５ｃは、装着されるＳＤカード１３の長手方向が下筐体２の長手方向と一致するように配設されている。
【００６２】
ＳＤカードコネクタ５５ｃは、図７において、電池装着部２ａの底面に対して電池６１の装着方向に隆起した段部２ｅ内に収容されており、開口部１３ｃは開閉部２ｆによって覆われている。
【００６３】
開閉部２ｆは、図４において、ホルダ７１、支軸７２ａ及び７２ｂ、連結板７３、７４及び連結板７８、開閉カバー７５、第１のねじりコイルばね７６ａ及び第２のねじりコイルばね７６ｂを備えている。
【００６４】
このうち、一対の連結板７３、７４は、一対の支軸７２ａ、７２ｂの端部を連結するようになっている。一方、連結板７８は、支軸７２ａに回動可能に支承されている。開閉カバー７５は、連結板７８に取付けられており、下筐体２とともに外観を形成している。
【００６５】
第１のねじりコイルばね７６ａには、支軸７２ｂが挿通されており、ホルダ７１に対して連結板７３、７４へ支軸７２ｂの軸心を回転中心としたトルクを付与するように構成されている。即ち、第１のねじりコイルばね７６ａの一端は、連結板７３、７４に引掛けられているとともに、他端はホルダ７１の後述するばね溝７１ｄ（図４参照）に挿入されるように設けられている。
一方、第２のねじりコイルばね７６ｂの一端は、図５（ｂ）に示すように、連結板７４の後述する係止孔７４ｂに挿入・係止されているとともに、他端は連結板７８の外縁部に係止されており、連結板７３、７４に対して連結板７８及び開閉カバー７５へ支軸７２ａの軸心を回転中心としたトルクを付与するようになっている。
【００６６】
ホルダ７１は、両端に支軸７２ｂが連通される長孔７１ａが形成されており、さらにその外側にはねじ（図示せず）により下筐体２に共締めされるねじ挿通部７７が設けられている。また、ホルダ７１の上部両端には、図５（ａ）に示す開閉カバー７５の引掛部７５ａと係合する係合部７１ｂが立設されている。
【００６７】
さらに、ホルダ７１の中央部には、支軸７２ｂが長孔７１ａの長手方向に移動するときに、支軸７２ｂの中間部を幾分撓ませる頂部を有する突出部７１ｃと、この突出部７１ｃの横に位置し、第１ねじりコイルばね７６ａの一端が挿入されて一端の回動を阻止するばね溝７１ｄとが形成されている。
【００６８】
この第１ねじりコイルばね７６ａ及び第２ねじりコイルばね７６ｂのねじれ角度は、連結板７３、７４、連結板７８及び開閉カバー７５がいかなる位置でも零以上になるように、巻き数が増える方向へねじれ角が与えられて取付けられている。
【００６９】
連結板７３、７４の端部には、支軸７２ａ、７２ｂがカシメにて固定される固定用孔７３ａ，７４ａが穿設されているとともに、連結板７４には、図５（ｂ）に示すように、第２ねじりコイルばね７６ｂの一端が挿入されて引掛けられる係止孔７４ｂが穿設されている。また、連結板７４（又は連結板７８）の内面側には、第１ねじりコイルばね７６ａの他端が引掛けられるばね溝などが形成されている。
【００７０】
連結板７８は、図４において、その中央部に角孔７８ａが形成されているとともに、この角孔７８ａは、開閉カバー７５の突起７５ｂ（図５（ａ）に図示）と係合し、開閉カバー７５が矢印Ａ方向より差込まれることで、この連結板７８に取付けられるようになっている。開閉カバー７５を外す時には、角穴７８ａと突起７５ｂの係合状態を解除し、この開閉カバー７５を矢印Ａとは反対方向に引っ張ると、両者は分離することができるようになっている。
【００７１】
組み立て工場においては、
（１）ホルダ７１、支軸７２ａ及び７２ｂ、連結板７３及び７４、ねじりコイルばね７６ａ及び７６ｂが予め組立てられたユニット（以下、回動ユニットと呼ぶ）が供給され、下筐体２に組付けられる。
【００７２】
（２）そして、無線特性、受話特性、及び送話特性等の諸特性を検査後、この検査をクリアした良品のみに開閉カバー７５が組付けられる。
【００７３】
（３）回動ユニットの回動動作の確認と開閉カバー７５の外観検査とが異なる工程で検査できるので、並行生産によってリードタイムの短縮などが図られ、携帯電話機１の生産性を向上させることができる。
【００７４】
次に、本発明の実施の形態に係る携帯電話機の動作について、図１〜図８を参照しながら説明する。
なお、ここで、図８は、本発明の実施の形態に係る携帯電話機における開閉蓋を示す断面図であり、同図（ａ）はその開閉蓋が第１の位置にある状態、同図（ｂ）は開閉蓋が第２の位置にある状態、同図（ｃ）は開閉蓋が第３の位置にある状態、同図（ｄ）は開閉蓋が第４の位置にある状態を示すものである。
【００７５】
先ず、開閉部２ｆの動作について説明する。
（１）初めに、同図（ａ）では、開閉部２ｆの開閉カバー７５が開口部１３ｃ（図４参照）を覆っている状態であり、この開閉カバー７５の引掛部７５ａ（図５（ａ）参照）がホルダ７１の係合突起７１ｂと係合している。ここで、支軸７２ｂは長孔７１ａの一端側（図８（ａ）では上側、図４では下側）に位置し、下筐体２と開閉カバー７５の外観面が一致している。この状態を開閉部２ｆの第１の位置（閉じた状態）とする。
【００７６】
（２）ここで、開閉カバー７５を第１の位置より矢印Ｂ方向へ指で力を加えると、支軸７２ｂはクリック感を得ながら、突起部７１ｃを通過し、長孔７１ａの反対側端部へ移動する。また、引掛部７５ａ（図５（ａ）参照）と係合突起７１ｂの係合状態が解除されて図８（ｂ）のようになる。この状態を開閉部２ｆの第２の位置とする。
【００７７】
（３）引掛部７５ａと係合突起７１ｂとの係合状態が解除されると、ねじりコイルばね７６ａのねじりモーメントがホルダ７１と連結板７４及び７３に偶力を与えるので、支軸７２ｂを中心としたトルクが発生して、開閉カバー７５とともに連結板７３、７４は反時計方向に回動を開始する。
【００７８】
（４）また、ねじりコイルばね７６ｂのねじりモーメントが連結板７４及び７３と開閉カバー７５に偶力を与えるので、開閉カバー７５は支軸７２ａの軸心を中心にトルクが発生し、反時計方向に回動を開始する。この状態を開閉部２ｆの第３の位置とし、図８（ｃ）に示す。
【００７９】
（５）その後、連結板７４及び７３は反時計方向に略９０度まで回動し、開閉カバー７５は反時計方向に略１８０度まで回動される。この回動動作の終了した状態を図８（ｄ）に示し、この状態を開閉部２ｆの第４の位置とする。
【００８０】
（６）そして、図８（ｄ）に示すように、開閉カバー７５外観面が、下筐体２の外観面と対向するように、半自動的に開かれて、ＳＤカードコネクタ５５ｃの開口部１３ｃが露呈されるので、ＳＤカード１３がＳＤカードコネクタ５５ｃから着脱できるようになる。
【００８１】
（７）そこで、図７において、ＵＩＭカード１２を矢印Ｃ方向よりＵＩＭカードコネクタ５５ｂに装着させることができる。
【００８２】
（８）その後、図７において、電池６１を矢印Ｄ方向より組付けると、電池６１の電池カバー６１ａがＵＩＭカード１２を覆うが、この透明窓６１ｄは、ＵＩＭカード１２と重畳し、透明窓６１ｄを通してＵＩＭカード１２が見える（透視できる）ようになっている。一方、ＳＤカード１３は、開閉カバー７５を開けた後、矢印Ｅ方向よりＳＤカードコネクタ５５ｃに装着し、開閉カバー７５を閉めると、装着動作が完了する。
【００８３】
以上、説明してきたように、本実施の形態では、開閉部２ｆに回転軸を２箇所設け、それぞれの回転軸を中心にして開閉カバー７５を同方向に回動させるねじりコイルばね７６ａ、７６ｂを設けた為、使用者がＳＤカード１３の着脱を行うときは、開閉カバー７５を移動させるだけで開閉カバー７５に傷を付けずに開口部１３ｃを開放させることができる。
【００８４】
また、開口部１３ｃは、下筐体２の外観面近傍なので、開閉部２ｆが開かれた状態では、装着されたＳＤカード１３も下筐体２の外観面近傍に位置しており、ＳＤカード１３の押し込みや引き抜き動作による着脱動作を容易に行うことができる。
【００８５】
また、開閉カバー７５は、ＳＤカード１３の着脱方向と直交する方向に移動させてから回動する構成としてあるので、例えば、携帯電話機１が落下することで収納されているＳＤカード１３が開閉カバー７５に追突して開閉部２ｆが開いてしまい、ＳＤカード１３が外部に出てしまうといったトラブルを防止することができる。
【００８６】
なお、開閉部２ｆが開かれた第４の位置から、その開閉部２ｆを第１の位置へ戻す（閉じる）ときには、開閉カバー７５に使用者が力を加えると、開閉カバー７５及び連結板７３は時計方向に回動し始める。その後、その開閉部２ｆは、第３の位置を経て第２の位置となり、引き続き矢印Ｂとは反対方向に力を加えると、クリック感を得ながら、第１の位置となる。
【００８７】
このように、開閉蓋１２５を閉じるときの操作も非常に簡単であり、更に、開閉蓋が閉まるときにクリック感が得られるため、その動作が完了したことを認識しやすいという効果が得られる。
【００８８】
また、かりに、開閉部２ｆがヒンジ部４近傍へ開かれた状態（開閉部２ｆの第４の位置）で、携帯電話機１を地面へ落下させてしまった場合において、従来のように、開閉カバーだけが地面に衝突する構成であると、開閉カバーの損壊を招いてしまうため、例えば、高剛性の金属材料などで開閉蓋を形成する必要がある。
【００８９】
しかしながら、本実施形態では、開閉部２ｆを開いた状態で携帯電話機１が落下したとしても、ヒンジ部４と開閉カバー７５、或いはヒンジ部４だけが地面に衝突する構成となっているので、地面との衝突による衝撃が分散し、開閉カバー７５を高剛性及び高強度な材料で形成する必要がなくなる。この結果、携帯電話機１の製造コストの増大を回避できるようになる。
【００９０】
なお、不測の事態により、開閉カバー７５を破損してしまった場合や、傷をつけてしまって使用者が交換を望む場合などのようケースであって、開閉カバー７５の交換を行わなければならない場合には、開閉カバー７５と連結板７８との係合状態を解除し、矢印Ａとは反対方向に開閉カバー７５を引き抜くことで、両者が分離できるようになる。そして、新品の開閉カバー７５を矢印方向から組付けることで、開閉部２ｆの再組立が完了する。
【００９１】
従って、携帯電話機１を組立工場に返却させなくても、サービス拠点で即座に対応して修理することができるので、メンテナンス性も向上する。
【００９２】
また、本実施の形態によれば、連結板７３が略９０度の回動動作をするので、ねじりコイルばね７６ａのねじれ角度も略９０度変化するように構成されている。一方、ねじりコイルばね７６ｂは、そのコイル中心を支軸７２ａと不一致になるように配置しており、そのねじれ角度は開閉カバー７５の回動角度よりも小さい（図８（ａ）及び（ｄ）を比較）。
【００９３】
例えば、ねじりコイルばね７６ｂのコイル中心を支軸７２ａと一致（同軸）させた場合のねじり角度は、開閉カバー７５の回動角度と略等しくなり、バネの平均径や巻き数によっては、そこに生じる応力が許容応力を超えてしまう虞がある。そこで、本実施形態のような配置とすることで、発生する応力を小さくするとができるものである。その結果、許容応力が大きい高価な材料を使用しなくてもすみ、携帯電話機１の製造コストの増大を回避することができるようになる。
【００９４】
以上のような理由から、ねじりコイルばね７６ａも、そのコイル中心を支軸７２ｂのコイル中心と不一致にしてねじれ角度を小さくすることで、同様な効果を得ることができ、その構造に応じて好適な方法を採用すればよい。
【００９５】
また、本実施の形態によれば、ＵＩＭカードコネクタ５５ｂの収容部１２ｃは、ＵＩＭカードコネクタ５５ｂの上面（下筐体２の外観面近傍）に形成されている。即ち、ＵＩＭカードコネクタ５５ｂに装着されたＵＩＭカード１２の片面が、電池６１を外した際に表面に露出するため、手が大きい人や爪が長い人等でも、ＵＩＭカード１２の片面に指を触れて抜き差しすることで、容易にＵＩＭカード１２を着脱することができるようになる。
【００９６】
ＵＩＭカードコネクタ５５ｂに装着されたＵＩＭカード１２は、電池装着部２ａに電池６１を装着した状態で透明窓６１ｄを通して目で確認することができるので、ＵＩＭカード１２が装着されているか否かを即座に判断・確認することができる。即ち、本実施の形態では、ＵＩＭカードコネクタ５５ｂを下筐体２の外観面近傍に設けたので、電池カバー部６１ａの一部に透明窓６１ｄを設けるだけで、装着されたＵＩＭカード１２を透視することができるようになっている。
【００９７】
さらに、本実施の形態によれば、下筐体２の長手方向に直交する方向とＵＩＭカード１２の長手方向とを揃えたため、下筐体２の長手方向の長さを長くする必要がなく、しかも、下筐体２の長手方向とＳＤカード１３の長手方向とを揃えたため、下筐体２の長手方向に直交する方向の長さを長くする必要ない。従って、携帯電話機１のサイズを大きくすることなく、ＵＩＭカード１２の取り外しが容易なＵＩＭカードコネクタ５５ｂと、ＳＤカードコネクタ５５ｃとを備えた携帯電話機１を提供することができる。
【００９８】
【発明の効果】
以上、説明してきたように、本発明によれば、情報記録体の片面が露出する状態で情報記録体収納部を配設することで、情報記録体の片面を指で触って抜き差しすることができるため、情報記録体を容易に着脱させることができる。
【００９９】
しかも、バッテリ収容部に情報記録体収納部を設けたことで、既存のスペースを利用して情報記録体収納部を配設することができ、情報記録体収納部を配設するための新たなスペースをバッテリ収納部以外の部分に確保する必要がないので、携帯電話装置の大型化を避けることができる。
【０１００】
さらに、本発明によれば、情報情報記録体収納部に収納された情報記録体と電池とを覆うカバー部材に透明部を設けたので、この透明部を通して情報記録体が収容されているか否かが直ちに確認することができる効果を有するものである。
【図面の簡単な説明】
【図１】（ａ）は本発明の実施の形態に係る携帯電話機の筐体が閉じた状態を示す斜視図、（ｂ）は同携帯電話機の筐体を開いた状態を示す斜視図、（ｃ）は同携帯電話機の筐体を開いたときに背面からみた状態を示す斜視図である。
【図２】本発明の実施の形態に係る携帯電話機の筐体を開いた状態を示す平面図である。
【図３】図２に示す本発明の実施の形態に係る携帯電話機の側面図である。
【図４】本発明の実施の形態に係る携帯電話機に収容された収容部材を示す斜視図である。
【図５】（ａ）は、本発明の実施形態に係る開閉部に用いる開閉カバーの裏面側斜視図、（ｂ）は同開閉部の要部における組付け状態を示す要部斜視図である。
【図６】本発明の実施の形態に係る携帯電話機の電気的構成を示すブロック図である。
【図７】本発明の実施の形態に係る携帯電話機の下筐体の分解斜視図である。
【図８】本発明の実施の形態に係る携帯電話機の開閉蓋の開閉動作を示すものであり、（ａ）はその開閉蓋が第１の位置にある状態、図（ｂ）は開閉蓋が第２の位置にある状態、図（ｃ）は開閉蓋が第３の位置にある状態、図（ｄ）は開閉蓋が第４の位置にある状態を示す説明図である。
【図９】従来の携帯電話機の背面側の要部を示す斜視図である。
【符号の説明】
１　　　携帯電話機
１ａ　　筐体
１１　　Ｉ／Ｏプラグ
１２　　ＵＩＭカード（情報記録体）
１２ａ　ホルダ
１２ｂ　接点端子
１３　　ＳＤカード（第２情報記録体）
１３ｃ　開口部
２　　　下筐体
２ａ　　電池装着部
２ｆ　　開閉部
２ｄ、２ｅ段部
２１　　操作部
２２　　送話部（マイクロフォン）
３　　　上筐体
３１　　アンテナ
３２　　受話部（レシーバ）
３３　　表示部
３４　　表示部
４　　　ヒンジ部
５１　　送受信部
５２　　データ交換部
５３　　音声処理部
５４　　情報記録部
５５ａ　Ｉ／Ｏコネクタ（入出力部）
５５ｂ　ＵＩＭカードコネクタ（情報記録体収納部）
５５ｃ　ＳＤカードコネクタ（第２情報記録体収納部）
５６ａ、５６ｂプリント基板
５７　　制御部
５８　　バイブレータ部
６１　　電池
６１ａ　電池カバー部（カバー）
６１ｄ　透明窓（透明部）
６２　　カメラ部
６３　　ホール素子
６４　　永久磁石
７１　　ホルダ
７１ｂ　係合突起
７２ａ、７２ｂ支軸
７３、７４、７８連結板
７５　　開閉カバー（開閉蓋）
７５ａ　引掛部
７６ａ、７６ｂねじりコイルばね
【図１】
2004032527.tif 000003
【図２】
2004032527.tif 000004
【図３】
2004032527.tif 000005
【図４】
2004032527.tif 000006
【図５】
2004032527.tif 000007
【図６】
2004032527.tif 000008
【図７】
2004032527.tif 000009
【図８】
2004032527.tif 000010
【図９】
2004032527.tif 000011